(57)【特許請求の範囲】
【請求項１】
複数のリード端子を有する電子部品が接続されるソケットを有する基板を収める電子部品搭載基板用ケースであって、
前記基板を固定する底部と、
該底部外周から立ち上がる側壁部と、
該側壁部から内方に突出し、前記複数のリード端子をガイドすると共に前記底部に固定した前記基板のソケットに対面し且つ上下方向及び突出方向に開口する複数のガイド孔を有するガイド部と、
を備えることを特徴とする電子部品搭載基板用ケース。
【請求項２】
前記底部は、前記基板に対面する底板部と、該底板部から突出し且つ前記基板を固定する突出部とからなることを特徴とする請求項１記載の電子部品搭載基板用ケース。
【請求項３】
前記ガイド部の底面が、前記底部に固定された前記基板のソケットの上面と同じ高さに形成されていることを特徴とする請求項１又は２記載の電子部品搭載基板用ケース。
【請求項４】
前記複数のリード端子は、前記ガイド部のガイド孔に挿入されることによりガイドされ、前記底部に固定された前記基板のソケットに挿入されて接続されることを特徴とする請求項１乃至３の一つに記載の電子部品搭載基板用ケース。
【発明の詳細な説明】
【技術分野】
【０００１】
本発明は、多数のリード端子が設けられている液晶表示装置等の電子部品を接続するソケットが設けられている基板を収める電子部品搭載基板用ケースに関するものである。
【背景技術】
【０００２】
近年、電子部品や基板等をまとめてユニット化することで取り扱い及び組み立てを容易にすることが進められている。通常、電子部品や基板等を収めるケースは、予め電子部品を接続して搭載した基板を収めるだけのものであった。このため、多数のリード端子が設けられている電子部品をソケットに接続する基板を収める場合、ガイド孔を複数備えた基板装着治具（例えば、特許文献１参照）を用いて電子部品を基板に接続した後、ケースに収めていた。
【特許文献１】実開平７−３２００号公報
【発明の開示】
【発明が解決しようとする課題】
【０００３】
上記従来技術においては、予め専用の治具を用意して基板に電子部品を搭載した後、ケースに収めることが必要であったため、手間がかかるという問題があった。また、電子部品を搭載して大きくなり且つより注意深く取り扱わなければならない状態になった基板をケースに収めることが必要となり、慎重で確実な作業が求められていた。
【０００４】
本発明が解決しようとする課題は、上記従来技術の問題点を解決し、治具を必要とせず、ケースに収めた基板に電子部品を確実に接続することができる電子部品搭載基板用ケースを提供することにある。
【課題を解決するための手段】
【０００５】
本発明の電子部品搭載基板用ケースは、複数のリード端子を有する電子部品が接続されるソケットを有する基板を収める電子部品搭載基板用ケースであって、前記基板を固定する底部と、該底部外周から立ち上がる側壁部と、該側壁部から内方に突出し、前記複数のリード端子をガイドすると共に前記底部に固定した前記基板のソケットに対面し且つ上下方向及び突出方向に開口する複数のガイド孔を有するガイド部と、を備えるものである。この電子部品搭載基板用ケースにおける前記底部は、前記基板に対面する底板部と、該底板部から突出し且つ前記基板を固定する突出部とからなる。また、前記ガイド部の底面は、前記底部に固定された前記基板のソケットの上面と同じ高さに形成されている。また、前記複数のリード端子は、前記ガイド部のガイド孔に挿入されることによりガイドされ、前記底部に固定された前記基板のソケットに挿入されて接続される。
【発明の効果】
【０００６】
本発明の電子部品搭載基板用ケースにおいては、その側壁部から内方に突出するガイド部が設けられており、このガイド部によって電子部品のリード端子をガイドすることができるように構成している。このため、基板をケースに収めた後、治具を使用することなく電子部品を基板に接続して取り付けることができる。これにより、電子部品を取り付ける前に基板をケースに収めることができ、ケースに収める作業がし易く、電子部品の取り扱いも容易になる。
【０００７】
また、ケースの底部は底板部とそこから突出する突出部とから構成され、その突出部にに基板を固定しているので、基板の裏面側に突出する部品を底板部と基板との間に収めることができ、これにより基板を平らに固定するすることができる。その結果、ガイド孔とソケットの位置を正確に合わせることができる。
【０００８】
また、ガイド部をソケットの高さとほぼ同じ高さに形成しているので、ガイド部の下にソケットが適合し、基板とソケットが上下方向に移動しないように仮止めすることができる。
【発明を実施するための最良の形態】
【０００９】
本発明の電子部品搭載基板用ケースは、基板を固定する底部と、その外周から立ち上がる側壁部と、そこから内方に突出するガイド部とを備えている。ガイド部には、上下方向及び突出方向に開口する複数のガイド孔が設けられている。底部に基板が固定されると、ガイド部が基板上のソケットに対面する。この電子部品搭載基板用ケースにおいては、基板を収めた後、ガイド部のガイド孔に電子部品のリード端子を挿入して複数のリード端子をソケットに接続しながら電子部品を基板に搭載することができる。
【実施例】
【００１０】
図１は本発明の一実施例に係る電子部品搭載基板用ケースを示す斜視図、図２（ａ），（ｂ）は図１に示すガイド部の平面図とそのＡ−Ａ断面図、図３はソケットが取り付けられた基板を示す斜視図、図４は複数のリード端子を有する電子部品を示す斜視図である。
【００１１】
２は電子部品搭載基板用ケースであり、底部４と、その外周から立ち上がる側壁部６と、その上部に設けられたガイド部８とから構成されている。
【００１２】
底部４は、基板１０に対面すると共に基板１０の外形よりわずかに大きい略相似形をなす底板部４ｂと、この底板部４ｂから上方に突出する数個の略円筒状の突出部４ａとから構成されている。この突出部４ａは、基板１０をネジ止め等により固定するためのものであり、基板１０の裏面側に突出する部品の突出する丈に見合った高さに設定されている。
【００１３】
側壁部６は、底部４に固定された基板１０の周囲を囲うように設けられており、本実施例では、固定された基板１０に設けられたソケット１２よりもわずかに高くなるように高さが設定されている。
【００１４】
ガイド部８は、側壁部６の上部に設けられている。本実施例においては、底部４と側壁部６とガイド部８がプラスチック等の一体成形により形成されている。このガイド部８は、側壁部６の上部内面からケース内方に突出しており、底部４に固定される基板１０のソケット１２の上に被さるように配置されている。このガイド部８の突出方向の先端部分には、上下方向及び突出方向に開口する複数のガイド孔８ａが設けられている。このガイド孔８ａは、上方の径が大きく下方の径が小さいすり鉢状をなすもので、下方の径の幅で突出方向に開口するものとなっている。また、ガイド孔８ａは、その下方の開口位置が、底部４に固定された基板１０のソケット１２の挿入孔１２ａに対面するように、位置付けられている。
【００１５】
次に、上記構成からなる電子部品搭載基板用ケース２に基板１０を収め、その基板１０のソケット１２に電子部品１４のリード端子１６を接続するときの状態を説明する。はじめに、本実施例にて使用する基板１０と電子部品１４の概略構成を説明する。図３に示す基板１０には、その表面又は裏面に多くの導電パターン（図示省略）と部品（図示省略）が設けられており、その隅に図４に示す電子部品１４を接続するためのソケット１２が２個固着されている。このソケット１２は直方体をなし、その上面に接続用の挿入孔１２ａが一列に複数設けられている。図４に示す電子部品１４は、本実施例においては液晶表示装置からなり、ガラス基板１４ａの端部から複数のリード端子１６が下方に引き出されている。また、この電子部品１４のフレーム１４ｂの端部下方には、基板１０に取り付けるための係合部１４ｃ等が設けられており、この係合部１４ｃを基板１０に設けた凹部、孔等（図示省略）に嵌め込んで係合させることにより基板１０に取り付けられるものとなっている。
【００１６】
上記のような基板１０は、電子部品搭載基板用ケース２における底部４の突出部４ａ上に基板１０を載置する。このときに図５及び図６に示すように、ソケット１２はガイド部８の下に入り込み、また、基板１０の裏面に取り付けられた部品１８が基板１０と底板部４ｂとの間に収められる。これにより、図６及び図７に示すように、基板１０は突出部４ａ上に平らな状態になると共に、ソケット１２がガイド部８の下に嵌まって上下に動かないように保持されて仮止めされる。ここで、ネジ等を用いて基板１０を突出部４ａに固定する。
【００１７】
上記のように突出部４ａに基板１０が固定されると、ソケット１２の挿入孔１２ａがガイド部８のガイド孔８ａの真下に位置することになる。ここで、図８に示すように、電子部品１４のリード端子１６をガイド孔８ａに上方から挿入する。このときに、リード端子１６の先端がソケット１２の挿入孔１２ａの位置から多少ずれていても、上方の開口が広がっているガイド孔８ａには容易に挿入することができる。このようにガイド孔８ａに挿入されたリード端子１６は、ガイド孔８ａによってソケット１２の挿入孔１２ａに導かれて、図９に示すように挿入孔１２ａに挿入される。尚、このときに本実施例における電子部品１４は、その係合部１４ｃが基板１０に係合することで基板１０に固定される。
【００１８】
上記のように、電子部品搭載基板用ケース２を使用すると、電子部品１４のリード端子１６を簡単に基板１０のソケット１２に接続することができる。特に、電子部品搭載基板用ケース２内に基板１０を収めた後、基板１０に電子部品１４を簡単に接続しながら取り付けることができ、基板１０と電子部品１４の取付の自由度を高めることができる。
【００１９】
尚、ガイド部８を側壁部６とは別体の部品、例えば金属製の部品等で形成して側壁部６に取り付けることも可能であり、このように構成すれば、ソケット１２や挿入孔１２ａの数や位置の変更にも、ガイド部８のみを交換するだけで対応することが可能である。
【００２０】
また、本実施例における電子部品搭載基板用ケース２は、上方が開口しており、基板１０及び電子部品１４を取り付けた後、その開口側を窓孔等が設けられた外装や他の製品に取り付けるものとなっている。また、この他、窓孔等が設けられた上ケースをその開口部分に取り付けてユニット化することも可能である。
【図面の簡単な説明】
【００２１】
【図１】本発明の一実施例に係る電子部品搭載基板用ケースを示す斜視図である。
【図２】（ａ），（ｂ）は図１に示すガイド部の平面図とそのＡ−Ａ断面図である。
【図３】ソケットが取り付けられた基板を示す斜視図である。
【図４】複数のリード端子を有する電子部品を示す斜視図である。
【図５】底部に基板を取り付けるときの状態を示す要部断面図である。
【図６】底部に基板を取り付けた状態を示す要部断面図である。
【図７】底部に基板を取り付けた状態を示す斜視図である。
【図８】ガイド孔にリード端子を挿入するときの状態を示す要部断面図である。
【図９】ガイド孔にリード端子を挿入した状態を示す断面図である。
【符号の説明】
【００２２】
２      電子部品搭載基板用ケース
４      底部
６      側壁部
８      ガイド部
４ａ    突出部
４ｂ    底板部
８ａ    ガイド孔
１０    基板
１２    ソケット
１２ａ  挿入孔
１４    電子部品
１４ａ  ガラス基板
１４ｂ  フレーム
１４ｃ  係合部
１６    リード端子
１８    部品
【図１】
0004722108.tif 000002
【図２】
0004722108.tif 000003
【図３】
0004722108.tif 000004
【図４】
0004722108.tif 000005
【図５】
0004722108.tif 000006
【図６】
0004722108.tif 000007
【図７】
0004722108.tif 000008
【図８】
0004722108.tif 000009
【図９】
0004722108.tif 000010